(57)【要約】【課題】送電線の直径のバラツキに対応して内径を無段階に調整でき、しかも送電線を確実に把持できる難着雪リングを提供する。【解決手段】一対の半リング部１ａ、１ｂを一端側でヒンジ部２により連結し、一方の半リング部１ａの解放端側に雄型連結部３を、他方の半リング部１ｂの解放端側に雌型連結部４を形成した難着雪リングである。雄型連結部３は２本の棒状部５ａ、５ｂからなり、２本の棒状部の間には隙間Ｓが設けられている。雌型連結部４は、２本の棒状部が挿通される貫通穴６と、隙間Ｓに押し込まれるクサビ片７とからなり、貫通穴の両側壁の内面８ａ、８ｂはテーパー状に形成されている。２本の棒状部５ａ、５ｂを貫通穴６に挿通し、クサビ片７を隙間Ｓに押し込むと、２本の棒状部の先端側が広がって、２本の棒状部の外側面１０ａ、１０ｂが貫通穴の両側壁のテーパー状内面８ａ、８ｂに密接することで、雄型連結部と雌型連結部が連結される。【選択図】図１
2011223654.tif 000002
【特許請求の範囲】
【請求項１】
一対の半リング部を一端側でヒンジ部により連結し、一方の半リング部の解放端側に雄型連結部を、他方の半リング部の解放端側に雌型連結部を形成し、送電線外周に装着して前記雄型連結部と雌型連結部を連結させることにより送電線外周に取り付けられるようになっている難着雪リングにおいて、
前記雄型連結部は、２本の平行な棒状部からなり、２本の棒状部の間には隙間が設けられており、
前記雌型連結部は、前記２本の棒状部が挿通される貫通穴と、前記隙間に押し込まれるクサビ片とからなり、前記貫通穴の両側壁の内面は棒状部の入口側よりも出口側の方が間隔が広いテーパー状に形成されており、
前記２本の棒状部を前記貫通穴に挿通し、クサビ片を２本の棒状部の間の隙間に押し込むと、２本の棒状部の先端側が広がって、２本の棒状部の外側面が貫通穴の両側壁のテーパー状内面に密接することで、雄型連結部と雌型連結部が連結されるようになっていることを特徴とする難着雪リング。
【請求項２】
クサビ片は、その後端側に、他方の半リング部の外周面にクサビ片押し込み方向に形成された溝に沿ってスライドするスライド片を有していることを特徴とする請求項１記載の難着雪リング。
【請求項３】
２本の棒状部の外側面及び貫通穴の両側壁のテーパー状内面の少なくとも一方は粗面化されていることを特徴とする請求項１又は２記載の難着雪リング。
【発明の詳細な説明】
【技術分野】
【０００１】
本発明は、架空送電線の着雪が大きく成長するのを抑えるために使用される難着雪リングに関するものである。
【背景技術】
【０００２】
難着雪リングは通常、一対の半リング部を一端側でヒンジ部により連結し、一方の半リング部の解放端側に雄型連結部を、他方の半リング部の解放端側に雌型連結部を形成したもので、送電線外周に装着して前記雄型連結部と雌型連結部を連結させることにより送電線外周に取り付けられるようになっている。従来の難着雪リングの雄型連結部は矢印形の突起で構成され、雌型連結部は上記突起が嵌め込まれる嵌合凹部で構成されており、上記突起を嵌合凹部に嵌め込むことで、両半リング部の解放端側の連結が行われる。
【０００３】
難着雪リングは、一対の半リング部が送電線を把持する力で送電線に固定されるが、送電線の太さ（直径）は様々であるため、個々の送電線の直径に合わせて、プラスチックの射出成型により製作されている。
【０００４】
しかし、難着雪リングを送電線の直径に合わせて製作しても、送電線の直径には寸法公差があるため、送電線の直径が寸法公差内でも小さめのときは把持力が不足するおそれがある。送電線の把持力が不足すると、取り付けた時点では問題なくても、風雨等による送電線の動揺や着雪による押圧力により、難着雪リングが送電線長手方向へずれてしまうことがある。また、宙乗り作業時にも、宙乗り器のローラーで難着雪リングのズレが発生することがある。難着雪リングのズレが発生すると、着雪を抑制する効果が損なわれる。また、送電線の直径が寸法公差内でも大きめのときは、送電線への取り付けが困難になる。
【０００５】
このため、送電線の直径に多少のバラツキがあっても、送電線を確実に把持できるように、送電線の直径にあわせて内径を調整できる難着雪リングも提案されている。
【０００６】
例えば特許文献１には、雄型連結部の両側面にラチェット式の係合歯を多数形成し、雌型連結部にこれと係合可能な係合爪を設けて、係合歯と係合爪が係合する位置によって、内径を調整可能とした難着雪リングが提案されている。
【０００７】
また特許文献２には、一対の半リング部に互い違いに幅方向に切り込みを入れて、半リング部を僅かに伸縮可能とすることで、内径を調整可能とした難着雪リングが提案されている。
【先行技術文献】
【特許文献】
【０００８】
【特許文献１】実開昭５９−６９６２９号公報
【特許文献２】特開２００９−５５６５８号公報
【発明の概要】
【発明が解決しようとする課題】
【０００９】
しかし、雄型連結部と雌型連結部をラチェット式に係合させる方式では、難着雪リングの内径を0.1mm〜0.2mm単位で変化させようとすると、係合歯のピッチが小さくなりすぎて、プラスチック成型品では所要の連結強度をもたせることが困難である。
【００１０】
また、一対の半リング部に互い違いに切り込みを入れる方式では、半リング部の強度が低下し、送電線の把持力が弱くなるため、難着雪リングのズレを確実に防止することが困難である。
【００１１】
本発明の目的は、送電線の直径のバラツキに対応して内径を無段階に調整でき、しかも送電線を確実に把持できる難着雪リングを提供することにある。
【課題を解決するための手段】
【００１２】
上記目的を達成するため本発明は、一対の半リング部を一端側でヒンジ部により連結し、一方の半リング部の解放端側に雄型連結部を、他方の半リング部の解放端側に雌型連結部を形成し、送電線外周に装着して前記雄型連結部と雌型連結部を連結させることにより送電線外周に取り付けられるようになっている難着雪リングにおいて、
前記雄型連結部は、２本の平行な棒状部からなり、２本の棒状部の間には隙間が設けられており、
前記雌型連結部は、前記２本の棒状部が挿通される貫通穴と、前記隙間に押し込まれるクサビ片とからなり、前記貫通穴の両側壁の内面は棒状部の入口側よりも出口側の方が間隔が広いテーパー状に形成されており、
前記２本の棒状部を前記貫通穴に挿通し、クサビ片を２本の棒状部の間の隙間に押し込むと、２本の棒状部の先端側が広がって、２本の棒状部の外側面が貫通穴の両側壁のテーパー状内面に密接することで、雄型連結部と雌型連結部が連結されるようになっていることを特徴とするものである。
【００１３】
本発明において、前記クサビ片は、その後端側に、前記他方の半リング部の外周面にクサビ片押し込み方向に形成された溝に沿ってスライドするスライド片を有していることが好ましい。
【００１４】
また本発明において、２本の棒状部の外側面及び貫通穴の両側壁のテーパー状内面の少なくとも一方は粗面化されていることが好ましい。
【発明の効果】
【００１５】
本発明によれば、一対の半リング部で送電線を強く把持した状態で、貫通穴に挿通した２本の棒状部の間にクサビ片を押し込むことにより、把持状態を固定できるので、送電線を強く把持したままの状態を維持でき、難着雪リングのズレを確実に防止することができる。また、クサビ片の押し込みにより把持状態を固定するものであるから、難着雪リングの内径を無段階に調整することができ、送電線の直径のバラツキに拘わらず難着雪リングの取り付け状態を安定に維持することができる。
【００１６】
また、クサビ片の後端側にスライド片を設けておくことにより、クサビ片を押し込むときのクサビ片の姿勢を安定させることができ、クサビ片の押し込み作業を正確に行うことができる。
【００１７】
さらに、２本の棒状部の外側面及び貫通穴の両側壁のテーパー状内面の少なくとも一方を粗面化しておけば、クサビ片を押し込んだ後の、２本の棒状部の外側面と貫通穴の両側壁のテーパー状内面との摩擦を大きくできるので、半リング部の解放端側の連結状態をより安定に維持することができる。
【図面の簡単な説明】
【００１８】
【図１】本発明に係る難着雪リングの一実施例を示す、（Ａ）は平面図、（Ｂ）は正面図、（Ｃ）は（Ｂ）のＣ−Ｃ線断面図、（Ｄ）は（Ｂ）のＤ−Ｄ線断面図。
【図２】（Ａ）〜（Ｃ）は図１に示す難着雪リングの雄型連結部と雌型連結部の連結過程を示す平面図。
【発明を実施するための形態】
【実施例】
【００１９】
以下、本発明の実施例を図面を参照して詳細に説明する。図１は本発明に係る難着雪リングの一実施例を示す。図において、１ａ、１ｂは一対の半リング部、２は半リング部１ａ、１ｂを一端側で開閉可能に連結するヒンジ部、３は一方の半リング部１ａの解放端側に形成された雄型連結部、４は他方の半リング部１ｂの解放端側に形成された雌型連結部である。
【００２０】
雄型連結部３は、２本の平行な断面矩形の棒状部５ａ、５ｂからなり、２本の棒状部５ａ、５ｂの間には隙間Ｓが設けられている。
雌型連結部４は、前記２本の棒状部５ａ、５ｂが挿通される貫通穴６と、前記隙間Ｓに押し込まれるクサビ片７とから構成されている。貫通穴６の両側壁の内面８ａ、８ｂは、棒状部５ａ、５ｂの入口側よりも出口側の方が間隔が広いテーパー状に形成されている。また、クサビ片７の後端側には、半リング部１ｂの外周面に周方向に形成された溝Ｍに沿ってスライドするスライド片９が一体に形成されている。
【００２１】
図２は、図１のように構成された難着雪リングを送電線外周に装着した後に、雄型連結部３と雌型連結部４を連結する過程を示す。図２（Ａ）は雄型連結部３と雌型連結部４を連結する直前の状態である。この後、図２（Ｂ）に示すように棒状部５ａ、５ｂを、貫通穴６に挿通すると共に、一対の半リング部１ａ、１ｂで送電線（図示省略）をしっかりと把持する。その後、適当な挟み付け工具（ペンチ等）で矢印Ｐ、Ｑ方向に圧力を加えて、図２（Ｃ）に示すようにクサビ片７を２本の棒状部５ａ、５ｂの間の隙間Ｓに押し込む。すると、２本の棒状部５ａ、５ｂの先端側が広がって、２本の棒状部５ａ、５ｂの外側面１０ａ、１０ｂ（図２（Ａ）参照）が、貫通穴６の両側壁のテーパー状内面８ａ、８ｂに密接するようになる。これにより、２本の棒状部５ａ、５ｂは貫通穴６から引き抜けなくなり、雄型連結部３と雌型連結部４が強固に連結され、半リング部１ａ、１ｂによる送電線の把持状態が固定される。
【００２２】
なお、２本の棒状部５ａ、５ｂの外側面１０ａ、１０ｂ及び貫通穴６の両側壁のテーパー状内面８ａ、８ｂの少なくとも一方は、粗面化しておく（例えば梨地状にしておく）ことが好ましい。このようにすれば、クサビ片７を押し込んだ後の、２本の棒状部５ａ、５ｂの外側面１０ａ、１０ｂと貫通穴６の両側壁のテーパー状内面８ａ、８ｂとの摩擦を大きくできるので、半リング部１ａ、１ｂの解放端側の連結状態をより安定に維持することができる。
【符号の説明】
【００２３】
１ａ、１ｂ：半リング部
２：ヒンジ部
３：雄型連結部
４：雌型連結部
５ａ、５ｂ：棒状部
６：貫通穴
７：クサビ片
８ａ、８ｂ：貫通穴６の両側壁のテーパー状内面
９：スライド片
１０ａ、１０ｂ：棒状部５ａ、５ｂの外側面
Ｓ：棒状部５ａ、５ｂの間の隙間
Ｍ：半リング部１ｂの外周面の溝
【図１】
2011223654.tif 000003
【図２】
2011223654.tif 000004